(57)【要約】      （修正有）【課題】錘の上げ下ろしやハンドル操作を無くして介助者の身体への負担を軽減し、上下移動用モータや上下移動用モータを制御する制御機器を必要とせず低価格で、動脈または内臓を圧迫して被介護者に不快感を与えるおそれを軽減した、介護用リフトを提供する。【解決手段】力学的支点を有する定滑車１１と、定滑車１１に支持されるワイヤー１２と、ワイヤー１２の一端に吊設され被介護者を乗せる為の被介護者用の身体支持具１３と、ワイヤー１２の他端に吊設され介助者が乗る為の介助者用の身体支持具１４とを備え、ワイヤー１２は、定滑車１１の被介護者側と介助者側とへ連動して移動自在な、介護用リフト１。【選択図】図２
2014045860.tif 000002
【特許請求の範囲】
【請求項１】
力学的支点を有する支持部材と、
前記支持部材に移動自在に支持される牽引部材と、
前記牽引部材の一端に吊設され被介護者を乗せる為の被介護者用の身体支持具と、
前記牽引部材の他端に吊設され介助者用が乗る為の介助者用の身体支持具と、
を備え、
前記牽引部材は、前記支持部材の被介護者側と介助者側とへ連動して移動自在な、介護用リフト。
【請求項２】
前記支持部材は、建屋の天井または梁から吊り下げられた滑車を有する、
請求項１に記載の介護用リフト。
【請求項３】
前記支持部材は、建屋の壁面、柱、床面、床面に置かれた台座、およびベッドのいずれか一つに設置された支柱と、前記支柱の上端に軸支された滑車と、を有する、
請求項１に記載の介護用リフト。
【請求項４】
前記滑車は、定滑車である、
請求項２または３に記載の介護用リフト。
【請求項５】
前記牽引部材は、ワイヤー、ベルト、チェーン、およびの少なくとも一つを有する、
請求項１乃至４のいずれか１項に記載の介護用リフト。
【請求項６】
前記牽引部材は、前記被介護者用の身体支持具と前記介助者用の身体支持具とにそれぞれ被介護者と介助者が乗った際に被介護者と介助者が牽引部材の伸びを感じない程度の剛性を有する、
請求項１乃至５のいずれか１項に記載の介護用リフト。
【請求項７】
前記牽引部材の表面に動滑車を更に備える、
請求項１乃至６のいずれか１項に記載の介護用リフト。
【請求項８】
前記牽引部材は、前記支柱の上端に前記力学的支点と前記力学的支点を中心にして回動するリンク機構とを有する、
請求項３に記載の介護用リフト。
【発明の詳細な説明】
【技術分野】
【０００１】
本発明は、介護用リフトに関する。
【背景技術】
【０００２】
この種の従来技術として、特許文献１に示される介護用リフト（被介護者用リフト）が知られている。それは、支柱と、支柱を中心に回動可能に載置された横柱と、横柱の両側に設けられた滑車と、ロープと、ロープの一端に吊設された被介護者用の身体支持具と、ロープの他端に吊設された錘の受け具と、ロープを昇降および停止させるためのロープの制御手段とを備え、錘の受け具は、錘の載置部と、支柱に沿って昇降可能に設けられた高さ調整部とを有し、ロープの制御手段は、高さ調整部に当接して、高さ調整部を伴った状態で支柱に沿って昇降可能に構成された移動体であって、身体支持具に移乗させた被介護者の体重と釣り合う様に錘の載置部へ錘を載置させた後に、手動操作用ハンドル部を操作して高さ調整部と身体支持具と錘の載置部とを上下に移動させるものである。
【０００３】
また、この種の従来技術として、特許文献２に示される介護用リフト（病弱者リフト装置）が知られている。それは、車輪によって床上を移動可能な移動体と、この移動体に鉛直に固定された伸縮自在の支柱と支柱の上下移動用モータを含むリフト手段と、そのリフト手段に固定された椅子とを含み、病弱者がリフト手段によって吊り上げられたまま、椅子に座って移動することを可能にするものである。
【０００４】
この種の従来技術として、特許文献３に示される介護用リフト（移乗支援器具）が知られている。それは、設置部材とシャフトとハンドルと身体保持部材とを有する介護用リフトで、被介護者の脇と胸部と腹部とを身体保持部材の突出方向に寄り掛からせた状態で設置部材を床上で回転させてベッドと車椅子の間で被介護者を移乗させるものである。
【先行技術文献】
【特許文献】
【０００５】
【特許文献１】特開２００１−４６４４７号公報
【特許文献２】特開平９−９９０１８号公報
【特許文献３】特開２０１０−１９４１４２号公報
【発明の概要】
【発明が解決しようとする課題】
【０００６】
しかしながら、特許文献１の介護用リフトでは、被介護者を乗せる位置まで被介護者用の身体支持具を下ろす為のハンドル操作と、被介護者を乗せた被介護者用の身体支持具を上下させる為の錘の上げ下ろし操作と、を中腰姿勢で行なう必要がある。これにより、介助者の身体には、負担が掛かる、と云う問題が発生する。
【０００７】
また、特許文献２の介護用リフトでは、支柱の上下移動用モータや上下移動用モータを制御する制御機器を必要とする。これにより、介護用リフトが高価格になる、と云う問題が発生する。
【０００８】
また、特許文献３の介護用リフトでは、介護用リフトに被介護者の脇と胸部と腹部とを身体保持部材の突出方向に寄り掛からせた状態で設置部材を床上で回転させる必要がある。これにより、被介護者の脇、胸部または腹部の動脈あるいは内臓を圧迫して被介護者に不快感を与えるおそれがある、と云う問題が発生する。
【０００９】
本発明は上記問題点に鑑みて成されたものであり、錘の上げ下ろしやハンドル操作を無くして介助者の身体への負担を軽減し、上下移動用モータや上下移動用モータを制御する制御機器を必要とせず低価格にし、被介護者の脇と胸部と腹部とに於ける被介護者への負荷を軽減して動脈あるいは内臓への圧迫を軽減して被介護者に不快感を与えるおそれを軽減した、介護用リフトを提供することを目的とする。
【課題を解決するための手段】
【００１０】
本発明の第１の課題解決手段は、力学的支点を有する支持部材と、前記支持部材に移動自在に支持される牽引部材と、前記牽引部材の一端に吊設され被介護者を乗せる為の被介護者用の身体支持具と、前記牽引部材の他端に吊設され介助者用が乗る為の介助者用の身体支持具と、を備え、前記牽引部材は、前記支持部材の被介護者側と介助者側とへ連動して移動自在な、構成である。
【００１１】
また、本発明の第２の課題解決手段は、前記支持部材は、建屋の天井または梁から吊り下げられた滑車を有する、構成である。
【００１２】
また、本発明の第３の課題解決手段は、前記支持部材は、建屋の壁面、柱、床面、床面に置かれた台座、およびベッドのいずれか一つに設置された支柱と、前記支柱の上端に軸支された滑車と、を有する、構成である。
【００１３】
また、本発明の第４の課題解決手段は、前記滑車は、定滑車である、構成である。
【００１４】
また、本発明の第５の課題解決手段は、前記牽引部材は、ワイヤー、ベルト、およびチェーン、の少なくとも一つを有する、構成である。
【００１５】
また、本発明の第６の課題解決手段は、前記牽引部材は、前記被介護者用の身体支持具と前記介助者用の身体支持具とにそれぞれ被介護者と介助者が乗った際に被介護者と介助者が牽引部材の伸びを感じない程度の剛性を有する、構成である。
【００１６】
また、本発明の第７の課題解決手段は、前記牽引部材の表面に動滑車を更に備える、構成である。
【００１７】
また、本発明の第８の課題解決手段は、前記牽引部材は、前記支柱の上端に前記力学的支点と前記力学的支点を中心にして回動するリンク機構とを有する、構成である。
【発明の効果】
【００１８】
本発明の第１の課題解決手段では、介護用リフトは、力学的支点を有する支持部材と、支持部材に移動自在に支持される牽引部材と、牽引部材の一端に吊設された被介護者用の身体支持具と、牽引部材の他端に吊設された介助者用の身体支持具と、を備えている。これにより、介助者は、被介護者を被介護者用の身体支持具へ乗せた後に介助者用の身体支持具に乗って被介護者を吊り上げたり下ろしたりする操作を、移動自在に案内される牽引部材を介して容易に行うことが出来る。従って、介助者の中腰姿勢での操作が軽減される為、介助者の身体への負担を軽減することが可能になる。更に、上下移動用モータや上下移動用モータを制御する制御機器が不要になる為、介護用リフトを低価格にすることが可能になる。加えて、被介護者を臀部で支える為、被介護者の脇、胸部または腹部の動脈あるいは内臓への圧迫を軽減して被介護者に不快感を与えるおそれを軽減することが可能になる。
【００１９】
本発明の第２の課題解決手段では、介護用リフトは、支持部材は、建屋の天井または梁から吊り下げられた滑車を有する。これにより、牽引部材の動きを滑らかにして容易に操作が可能な、介護用リフトを提供することが出来る。
【００２０】
本発明の第３の課題解決手段では、介護用リフトは、建屋の壁面、柱、床面、床面に置かれた台座、およびベッドのいずれか一つに設置された支柱と、前記支柱の上端に軸支された滑車と、を有する。これにより介護用リフトを建屋内の色々な場所に設置することが出来る。
【００２１】
本発明の第４の課題解決手段では、介護用リフトは、滑車が定滑車である。これにより、構成が単純な、介護用リフトを提供することが出来る。
【００２２】
本発明の第５の課題解決手段では、介護用リフトは、牽引部材がワイヤー、ベルト、およびチェーン、の少なくとも一つを有する、構成である。これにより、牽引部材の動きを滑らかにして容易に操作が可能な、介護用リフトを提供することが出来る。
【００２３】
本発明の第６の課題解決手段では、介護用リフトは、牽引部材が被介護者用の身体支持具と介助者用の身体支持具とにそれぞれ被介護者と介助者が乗った際に被介護者と介助者が牽引部材の伸びを感じない程度の剛性を有している。これにより、被介護者と介助者とが安心して使用可能な、介護用リフトを提供することが出来る。
【００２４】
本発明の第７の課題解決手段では、介護用リフトは、牽引部材の表面に動滑車を更に備えている。これにより、介助者の２倍の体重の介護者を容易に吊り上げて移動させることが可能な、介護用リフトを提供することが出来る。
【００２５】
本発明の第８の課題解決手段では、介護用リフトは、前記牽引部材は、前記支柱の上端に前記力学的支点と前記力学的支点を中心にして回動するリンク機構とを有する、構成である。これにより、被介護者と介助者の体を密着させること無く被介護者を容易に吊り上げて移動させることが可能な、介護用リフトを提供することが出来る。
【図面の簡単な説明】
【００２６】
【図１】実施形態１に於ける、吊り上げ前の介護用リフトの側面図
【図２】実施形態１に於ける、吊り上げ中の介護用リフトの側面図
【図３】実施形態１に於ける、吊り上げ中の介護用リフトの正面図
【図４】実施形態２に於ける、吊り上げ前の介護用リフトの側面図
【図５】実施形態３に於ける、吊り上げ前の介護用リフトの側面図
【発明を実施するための形態】
【００２７】
（実施形態１）
以下に本発明の実施形態１を図面に基づいて詳細に説明する。
【００２８】
図１は、実施形態１に於ける、吊り上げ前の介護用リフト１の側面図である。図２は、実施形態１に於ける、吊り上げ中の介護用リフト１の側面図である。図３は、実施形態１に於ける、吊り上げ中の介護用リフト１の正面図である。ベッド２側面の床には、台座１５が置かれている。台座１５には、図中上向きで且つ台座１５と直角で、且つ台座１５と略平行な片持ち梁１６ａを有する支柱１６が固定されている。支柱１６の片持ち梁１６ａには、２個（図３参照）の定滑車１１（支持部材）が軸支されている。２個の定滑車１１には、それぞれ１本のワイヤー１２（牽引部材）が定滑車１１の溝を介して吊られている。それぞれのワイヤー１２は、一方には被介護者を座らせる為の座面を有する被介護者用の身体支持具１３が吊設され、他方には介助者用が座る為の座面を有する介助者用の身体支持具１４が吊設されている。図１の通路側で且つ図３の車椅子４側の床には、車椅子４の座面の側面がベッド２端面と略平行に、車椅子４の座面の乗り込み側面（前面）が介護用リフト１に向くように車椅子４が置かれている。
【００２９】
なお、ここでは２個の定滑車１１は、片持ち梁１６ａに軸支されているが、建屋の天井または梁から吊り下げられた定滑車１１、あるいは建屋の壁面または柱または床面３に設置された支柱１６、あるいはベッド２に設置された支柱１６、に軸支されていても良い。支柱１６と片持ち梁１６ａとは、一体成形されていても、溶接されていても、ねじ留めされていても良い。夫々のワイヤー１２は、図中介助者用の身体支持具１４の様に１本で助者用の身体支持具のワイヤー１２挿通穴などに係止して再度このワイヤー１２に結び付けても良いし、図中の被介護者用の身体支持具１３の様に先端を輪形状に結んで被介護者用の身体支持具１３に係止したワイヤー１２とフック２０で係止する形態にしても良い。
【００３０】
以下に、実施形態１の介護用リフト１の動作について、説明する。
【００３１】
介助者は、図１に於いて被介護者をベッド２の車椅子４が置いてある通路側端面に、床へ足が着く様な状態で座らせる。その状態で、介助者は、被介護者のお尻とベッド２の間に被介護者用の身体支持具１３を被介護者の背面側から挿入し、被介護者のお尻の全体が所定の状態で被介護者用の身体支持具１３に乗っており被介護者が２本のワイヤー１２をそれぞれ手で掴んでいることを確認する。次に、介助者は、２個の定滑車１１のワイヤー１２を掛ける為に定滑車１１の周方向面に形成されている溝へ２本のワイヤー１２をそれぞれ係合させる。次いで、介助者は、介助者用の身体支持具１４の所定の位置に臀部の全体を下ろし、図２の様に被介護者の両手を介助者の両肩に乗せると共に被介護者用の腰の両側を両手で支え、介助者用の介助者用の身体支持具１４へ徐々に自重を掛けることで被介護者をベッド２から吊り上げる。その状態で介助者は、自分自身が支柱１６の周囲を徐々に移動することで支柱１６を台座１５上で回転させながら車椅子４へ近づき、被介護者のお尻の背面側が車椅子４の前面に略正対した時に支柱１６の回転を停止する。その状態で介助者は、車椅子４を片手で被介護者のお尻の下まで引き寄せ、被介護者のお尻を車椅子４の座面へ下ろす。その状態で介助者は、被介護者の腰から両手を離し、被介護者の両手を介助者の両肩から外してそれぞれの手を車椅子４の２つの手摺りの上へそれぞれ乗せる。その後、介助者は、介助者用の身体支持具１４から下りてワイヤー１２を定滑車１１から外し、ワイヤー１２と介助者用の身体支持具１４をベッド２上に置く。更に介助者は被介護者の足裏面を車椅子４の足乗せ台に乗せる。加えて介助者は、被介護者用の身体支持具１３を被介護者のお尻と車椅子４の座面の間から被介護者の背面側へ抜き出し、ベッド２上に置く。この間、介助者が支柱１６の片持ち梁側の台座１５の上に乗っている状態であり、台座１５と支柱１６と片持ち梁１６ａと、および台座１５と支柱１６との係合部、および支柱１６と片持ち梁１６ａとの間の一体形成部、とは介助者と被介護者の体重とすぐに後述する錘の入ったベストの合計重量では折れない程度に十分な強度を持っている為、支柱１６は介助者と被介護者の重量で支柱１６の片持ち梁１６ａ側へ倒れることは無い。
【００３２】
被介護者を車椅子４からベッド２へ戻す際には、介助者は上記の逆の操作を行なう。
【００３３】
なお、ここでは被介護者の体重が介助者の体重よりも軽い場合の動作を記載したが、被介護者の体重が介助者の体重よりも重い場合には予め介助者が両者の体重差よりも若干重い錘の入ったベストを着用したり介助者用の身体支持具１４へ両者の体重差よりも若干重い錘を乗せたりすることなどで、同様に動作をさせることが可能である。更に被介護者とまたは介助者の体重が重い場合などは、被介護者用の身体支持具１３とまたは被介護者用の座面を被介護者とまたは介助者の大腿部まで覆うことが可能な大きさのものに交換することも可能である。
【００３４】
以下に、実施形態１の介護用リフト１１の効果について、説明する。
【００３５】
介護用リフト１は、力学的支点１１ａを有する定滑車１１と、定滑車１１に移動自在に支持されるワイヤー１２と、ワイヤー１２の一端に吊設された被介護者用の身体支持具１３と、ワイヤー１２の他端に吊設された介助者用の身体支持具１４と、を備えている。これにより、介助者は、被介護者を被介護者用の身体支持具１３へ乗せた後に介助者用の身体支持具１４に乗って被介護者を吊り上げたり下ろしたりする操作を、移動自在に案内されるワイヤー１２を介して容易に行うことが出来る。従って、介助者の中腰姿勢での操作が軽減される為、介助者の身体への負担を軽減することが可能になる。更に、上下移動用モータや上下移動用モータを制御する制御機器が不要になる為、介護用リフト１を低価格にすることが可能になる。加えて、被介護者を臀部で支える為、被介護者の脇、胸部または腹部の動脈あるいは内臓への圧迫を軽減して被介護者に不快感を与えるおそれを軽減することが可能になる。その上、従来よりも簡単かつ軽量な構成にすることで場所を選ばず容易に且つ安全に操作することが可能になる。おまけに、電力使用を不要にすることで省エネを図ると共に、場所を選ばずに使用することが可能になる。付け加えると、介助者の一挙手一投足の全てが被介護者にも分かり易く、且つスキンシップを図りながら操作が出来る為、被介護者に対して物扱いされる疎外感を与えず、安心感を与えることが可能になる。
【００３６】
介護用リフト１は、支持部材が、建屋の天井または梁から吊り下げられた定滑車１１を有する。これにより、ワイヤー１２の動きを滑らかにして容易に操作が可能な、介護用リフト１を提供することが出来る。滑らかな動きは、被介護者に対して物扱いされる疎外感を与えず、安心感を与えることも可能になる。更に、床面３に載置される台座１５に設置された支柱１６、あるいはベッド２に設置された支柱１６、に軸支された定滑車１１であることで移動が容易になり、どこでも容易に使用することが可能になる。
【００３７】
介護用リフト１は、支持部材が、建屋の壁面、柱、床面、床面に置かれた台座、およびベッドのいずれか一つに設置された支柱１６と、支柱１６の上端に軸支された定滑車１１と、を有する。これにより介護用リフト１を建屋内の色々な場所に設置することが出来る。
【００３８】
介護用リフト１は、滑車が定滑車１１である。これにより、構成が単純な、介護用リフト１を提供することが出来る。
【００３９】
介護用リフト１は、牽引部材がワイヤー１２、ベルト、およびチェーン、の少なくとも一つを有する、構成である。これにより、ワイヤー１２の動きを滑らかにして容易に操作が可能な、介護用リフト１を提供することが出来る。
【００４０】
介護用リフト１は、ワイヤー１２が被介護者用の身体支持具１３と介助者用の身体支持具１４とにそれぞれ被介護者と介助者が乗った際に被介護者と介助者がワイヤー１２の伸びを感じない程度の剛性を有している。これにより、被介護者と介助者とが安心して使用可能な、介護用リフト１を提供することが出来る。
【００４１】
（実施形態２）
以下に本発明の実施形態２を図面に基づいて詳細に説明する。
【００４２】
図４は、実施形態２に於ける、吊り上げ前の介護用リフト１の側面図である。実施形態１と異なる構成は、以下の通りである。介護用リフト１は、定滑車１１から被介護者用の身体支持具１３の側になるワイヤー１２に１個の動滑車１７を係合している。ワイヤー１２の被介護者用の身体支持具１３の側になる端部は、支柱１６の略頂点部に係止されている。被介護者用の身体支持具１３に係止された輪状のワイヤー１２に係合されたフック２０は、動滑車１７の軸孔に係合されている。以上の構成は、図４の被介護者の手前側だけで無く向こう側にも同様に形成されている。
【００４３】
なお、動滑車１７は、定滑車１１から介助者用の身体支持具１４の側になるワイヤー１２に１個以上とまたは定滑車１１から被介護者用の身体支持具１３の側になるワイヤー１２に１個以上係合されていても良い。更に、介護者用の身体支持具に係止された輪状のワイヤー１２は、フック２０を介さずに直接動滑車１７の軸孔に係合されていても良い。
【００４４】
以下に、実施形態２の介護用リフト１の動作について、説明する。
【００４５】
介助者は、図４に於いて実施形態１に記載の動作と基本的に同じ動作を行なう。但し、介助者は、２個の定滑車１１のワイヤー１２を掛ける為に定滑車１１の周方向面に形成されている溝へ２本のワイヤー１２をそれぞれ係合させた後に以下の動作を追加して行なう。即ち、定滑車１１に対して被介護者用の身体支持具１３の側になるワイヤー１２に１個の動滑車１７を係合する。その際、介助者は、２個の動滑車１７の周方向面に形成されている溝へそれぞれ２本のワイヤー１２を係合する。
【００４６】
その状態で、介助者が介助者用の身体支持具１４へ徐々に自重を掛けることで被介護者をベッド２から吊り上げると、動滑車１７が図中の上方へ移動しつつ、被介護者用の身体支持具１３が上方へ徐々に吊り上げる。この際、被介護者用の身体支持具１３は、介助者用の身体支持具１４の半分の速度で上方へ吊り上がり、介助者用の身体支持具１４に掛かる重量の２倍の重量まで吊り上げることが可能である。
【００４７】
以下に、実施形態２の介護用リフト１の効果について、説明する。
【００４８】
介護用リフト１は、ワイヤー１２の表面に動滑車１７を更に備えている。これにより、介助者の２倍の体重の被介護者を容易に吊り上げて移動させることが可能な、介護用リフト１を提供することが出来る。更に、被介護者を吊り上げる速度を遅くすることが出来ることで、被介護者の不安を抑えながら被介護者を吊り上げることが可能になる。
【００４９】
（実施形態３）
図５は、実施形態３に於ける、吊り上げ前の介護用リフト１の側面図である。ベッド２側面の床には、台座１５が置かれている。台座１５には、図中上向きで且つ台座１５と直角なリンク機構の支柱１９が係合されている。リンク機構の支柱１９には、４本の角パイプで構成されたリンク機構１８が形成されている。リンク機構１８の図中左側の上部には、被介護者用の座面が着脱不可能な状態で係合されている。リンク機構１８の図中右側の上部には、介助者用の座面１４ａが着脱不可能な状態で係合されている。被介護者用の座面およびまたは介助者用の座面１４ａには、被介護者用およびまたは介助者用を固定するためのベルトが取り付けられている。
【００５０】
なお、ベッド２には、リンク機構１８と干渉しない為の切欠き部が形成されている。介護用リフト１の非使用時に切欠き部を塞ぐ移動台を、別途用意することも可能である。
【００５１】
以下に、実施形態３の介護用リフト１の動作について、説明する。
【００５２】
図５に於いて介助者は、被介護者をベッド２の車椅子４が置いてある通路側端面に、床へ足が着く様な状態で座らせる。次に、介助者は、被介護者のお尻を被介護者用の座面１３ａに乗せ、被介護者のお尻を被介護者用の座面１３ａにベルトで固定する。次いで、介助者は、介助者用の座面１４ａに座り、介助者用のお尻を介助者用の座面１４ａにベルトで固定する。その状態で、介助者は、被介護者の両手を介助者の両肩に乗せると共に被介護者の腰の両側を両手で支え、介助者用の座面１４ａへ徐々に自重を掛けることで被介護者をベッド２から吊り上げる。その状態で介助者は、自分自身がリンク機構の支柱１９の周囲を徐々に移動することでリンク機構の支柱１９を台座１５上で回転させながら車椅子４へ近づき、被介護者のお尻の背面側が車椅子４の前面に略正対した時にリンク機構の支柱１９の回転を停止する。その状態で介助者は、被介護者の腰から両手を離し、車椅子４を片手で被介護者のお尻の下まで引き寄せる。更に、介助者は、被介護者のお尻を被介護者用の座面１３ａに固定しているベルトを外す。加えて、介助者は、被介護者のお尻を車椅子４の座面へ移動させる。その状態で介助者は、被介護者の両手を介助者の両肩から外してそれぞれの手を車椅子４の２つの手摺りの上へそれぞれ乗せる。その後、介助者は、介助者用の座面１４ａから下りて被介護者の足裏面を車椅子４の足乗せ台に乗せる。この間、介助者が介助者側の台座１５の上に乗っている状態であり、台座１５とリンク機構の支柱１９とリンク機構１８と台座１５と、および台座１５とリンク機構の支柱１９との係合部、およびリンク機構の支柱１９とリンク機構１８との係合部、およびリンク機構１８と被介護者用の座面１３ａと、およびリンク機構１８と介助者用の座面１４ａと、を介助者と被介護者の体重と錘を入れるベストの合計重量では折れない程度に十分な強度を持っている為、リンク機構の支柱１９は介助者と被介護者の重量で介助者側へ倒れることは無い。
【００５３】
以下に、実施形態３の介護用リフト１の効果について、説明する。
【００５４】
介護用リフト１は、牽引部材が支柱１６の上端に力学的支点１１ａと力学的支点１１ａを中心にして回動するリンク機構１８とを有する。これにより、被介護者およびまたは介助者が太っていても被介護者と介助者の体を圧着させる程まで密着させること無く被介護者を容易に吊り上げて移動させることが可能な、介護用リフト１を提供することが出来る。更に、リンク機構１８のリンク機構の支柱１９から被介護者までの距離と、リンク機構１８のリンク機構の支柱１９から介助者までの距離とを調節することで、介助者の数倍の体重の介護者を容易に吊り上げて移動させることが可能な、介護用リフト１を提供することが出来る。
【００５５】
（付記項１）
被介護者用の身体支持具１３およびまたは介助者用の身体支持具１４は、中央部に硬質部材が配置され、その両側に軟質部材が配置された、介護用リフト１である。
【００５６】
これにより、ベッド２上または車椅子４上で被介護者の臀部付近にベッド２または車椅子４の側壁が迫っていても、被介護者用の身体支持具１３の柔らかい端部を曲げながら被介護者の臀部下側に介助者が差し込むことを容易にすることが出来る。更に、被介護者を被介護者用の身体支持具１３に乗せた状態で、被介護者用の身体支持具１３を吊り上げても被介護者の体が安定し易い。加えて、太った被介護者でも容易に被介護者用の身体支持具１３に乗せることが可能になる。
【００５７】
その上、介助者が介助者用の身体支持具１４に乗る際に、硬質部材によって介助者用の身体支持具１４の両端が左右に開かれている為、介助者は、被介護者の体を支えながら介助者用の身体支持具１４に乗り易くなる。
【００５８】
（付記項２）
被介護者用の身体支持具１３と介助者用の身体支持具１４との中央部に配置された硬質部材は、それぞれ被介護者と介助者の臀部に相当する方向の長さを調節して固定可能な、介護用リフト１である。
【００５９】
これにより、痩せた人から太った人までを、それぞれ被介護者用の身体支持具１３と介助者用の身体支持具１４へ乗せ易くすることが出来る。
【００６０】
（付記項３）
被介護者用の身体支持具１３は、被介護者の全身を乗せることが可能な大きさの面を有する、介護用リフト１である。
【００６１】
これにより、寝たきりの被介護者もベッド２、車椅子４、ストレッチャー、または浴槽の間で移動可能になる。
【符号の説明】
【００６２】
１  介護用リフト
２  ベッド
３  床面
４  車椅子
１１  定滑車（支持部材）
１１ａ  力学的支点
１２  ワイヤー（牽引部材）  
１３  被介護者用の身体支持具
１３ａ  被介護者用の座面
１４  介助者用の身体支持具
１４ａ  介助者用の座面
１５  台座
１６  支柱（支持部材）
１６ａ  片持ち梁
１７  動滑車
１８  リンク機構
１９  リンク機構の支柱
２０  フック
【図１】
2014045860.tif 000003
【図２】
2014045860.tif 000004
【図３】
2014045860.tif 000005
【図４】
2014045860.tif 000006
【図５】
2014045860.tif 000007